(57)【特許請求の範囲】
【請求項１】
側溝の上面に載置されるインサートグレーチングを埋設した蓋体において、前記インサートグレーチングをグレーチング本体とその周側面及び底面を保持する保持枠とで構成し、前記グレーチング本体を略長方形状で断面視下面を開放したコ字状に立体形成し、その上面に多数の雨水流通孔を形成し、該グレーチング本体の前記周側面に複数の突起を形成し、前記保持枠の内周面に前記突起と係合する複数の凹孔を形成して保持枠によりグレーチング本体を係止保持させ、該インサートグレーチングを合成樹脂で成形し、該インサートグレーチングをコンクリート蓋体の上面部位に埋設させたことを特徴とするインサートグレーチングを埋設した側溝用蓋体。
【発明の詳細な説明】
【０００１】
【発明の属する技術分野】
本発明は、例えばＵ字状の側溝の上面に載置されるインサートグレーチングを埋設した蓋体に関するものである。
【０００２】
【従来の技術】
従来、蓋付側溝において、その蓋体の平坦部に上面に多数の雨水流通細孔を形成し、周面に補強リブを形成した該蓋体の平坦部の高さと略同一の高さを有する略四角アーチ状のインサートグレーチングを埋設した側溝用蓋体がある（例えば、特許文献１参照。）。
【０００３】
【特許文献１】
特開２００２ー７０１３７号公報
【０００４】
【発明が解決しようとする課題】
ところで、前記公知のものでは、インサートグレーチングを合成樹脂で一体成形していることから、雨水流通細孔にゴミ，小石等が詰まった時に掃除することが非常に困難であり、また、雨水流通細孔部分が壊れた時にインサートグレーチングの交換ができないという問題がある。
【０００５】
本発明は、従来の技術の有するこのような問題点に鑑みてなされたものであり、その目的とするところは、雨水流通細孔部分であるグレーチング本体が確実に保持枠に保持され、ゴミ，小石等の詰まりも容易に掃除可能で、グレーチング本体の交換も簡単にできると共に、蓋体の製作が簡単・容易で、インサートグレーチングが確実に蓋体に埋設され、雨水排水能力も優れたインサートグレーチングを埋設した側溝用蓋体を提供しようとするものである。
【０００６】
【課題を解決するための手段】
上記目的を達成するために、本発明におけるインサートグレーチングを埋設した側溝用蓋体は、インサートグレーチングをグレーチング本体とその周側面及び底面を保持する保持枠とで構成し、前記グレーチング本体を略長方形状で断面視下面を開放したコ字状に立体形成し、その上面に多数の雨水流通孔を形成し、該グレーチング本体の前記周側面に複数の突起を形成し、前記保持枠の内周面に前記突起と係合する複数の凹孔を形成して保持枠によりグレーチング本体を係止保持させ、該インサートグレーチングを合成樹脂で成形し、該インサートグレーチングをコンクリート蓋体の上面部位に埋設させたことを特徴とするものである。
【０００７】
【発明の実施の形態】
図１ないし図６は本発明に係るインサートグレーチングを埋設した側溝用蓋体の実施例に関するものであり、図１は本発明の実施例に係るインサートグレーチングを埋設した側溝用蓋体の平面図、図２は図１のＡ−Ａ拡大断面図、図３はインサートグレーチングの平面図、図４はインサートグレーチングの側面図、図５は図３のＢ−Ｂ断面図、図６はインサートグレーチングの組立説明図を示すものである。
【０００８】
図において、１はインサートグレーチングを埋設した側溝用蓋体であり、該蓋体１はコンクリートにより例えば側面視略Ｖ字状に成形され、仮想線で示すようなＵ字状等の側溝２の上面に載置されるようになっている。
【０００９】
前記蓋体１の上面は該蓋体１の長手方向の両辺から中央部側に向けて下降している傾斜面となっており、該傾斜面の下部位近傍に蓋体１の長手方向と平行してインサートグレーチング３が蓋体１の上面部位に埋設され、該埋設されたインサートグレーチング３の下方には孔４が形成されている。また、前記蓋体１の両端底部には前記側溝２と嵌合される切欠部５，５が形成されている。
【００１０】
前記インサートグレーチング３はグレーチング本体６とその周側面及び底面を保持する保持枠７とで構成されている。前記グレーチング本体６は略長方形状で断面視下面を開放したコ字状に立体形成され、その上面に多数の雨水流通孔８，８，…が形成され、前記各雨水流通孔８，８，…の境界板９，９，…が前記保持枠７の底面１０よりも上位部位まで形成されている。また、グレーチング本体６の周側面に複数の突起１１，１１，…が形成され、該グレーチング本体６は、例えば強化プラスチック等の合成樹脂で成形されている。
【００１１】
前記保持枠７はその内周面に前記グレーチング本体６の突起１１，１１，…と係合する複数の凹孔１２，１２，…が形成され、保持枠７の両下端から外方に突出する補強板１３，１３，…が形成され、該保持枠７も例えば強化プラスチック等の合成樹脂で成形されている。
【００１２】
以上のような構成からなるインサートグレーチングを埋設した側溝用蓋体１において、先ず、グレーチング本体６の突起１１，１１，…を保持枠７の凹孔１２，１２係止させると共に、グレーチング本体６の周側面及び底面が保持枠７に保持されるようにし、保持枠７によりグレーチング本体６が頑丈に係止保持されてインサートグレーチング３を組立ることができる。
【００１３】
そして、本実施例ではインサートグレーチング３を二つ埋設させているが、該蓋体１の成形時に前記インサートグレーチング３を蓋体１の横方向の長さにより適宜の数を決めて、蓋体１の成形用の型に該インサートグレーチング３を一個若しくは複数個設置することが可能である。そして該型にコンクリートを流し込む際に、前記インサートグレーチング３の内周に中子を設置して前記蓋体１に孔４を形成することができるが、このとき前記各雨水流通孔８，８，…の境界板９，９，…が前記保持枠７の底面１０よりも上位部位まで形成されていることにより、該中子を各雨水流通孔８ごとに設ける必要がなく一つの中子でインサートグレーチング３全体に大きな孔４を形成することができ、蓋体１の製作が簡単・容易である。
【００１４】
また、前記保持枠７の両下端から外方に突出する補強板１３，１３，…が形成されていることから、該保持枠７はコンクリートの蓋体１の上面部位に補強板１３，１３，…が上下方向からコンクリートで挟持されて確実に埋設され、インサートグレーチング３の抜け防止にもなると共に、該インサートグレーチング３が合成樹脂で成形されていることから腐り難く、長期使用にも耐え得るものとなる。
【００１５】
そして、例えば車道と歩道の境界部位に車道等と平行に設置された側溝２の上面に蓋体１を載置する場合、蓋１の両端底部に形成された切欠部５，５を前記側溝２の上部と嵌合するだけで容易に蓋体１を側溝２に載置することができる。
【００１６】
また、例えば大雨の際、雨水は前記グレーチング本体６の雨水流通孔８，８，…により側溝２内に放出されて、車道等に水が溜まり難くなり車道を通る車等の交通の妨げを少なくするものであると共に、各孔８にゴミ，小石等が詰まってしまった時もグレーチング本体６を保持枠７から取り外して容易に掃除することができ、雨水流通孔８，８，…が壊れてしまった時にも簡単にグレーチング本体６の交換が可能である。
【００１７】
なお、グレーチング本体６はデザイン等により雨水流通孔８，８，…の形状を変えることも可能である。
【００１８】
【発明の効果】
本発明に係るインサートグレーチングを埋設した側溝用蓋体は、雨水流通細孔部分であるグレーチング本体が保持枠に確実に保持され、しかもグレーチング本体が保持枠に凹凸係合で保持されていることから、グレーチング本体のみを取り外してゴミ，小石等の詰まりも特に容易に掃除ができ、雨水流通細孔部分が壊れてもグレーチング本体の交換も可能であると共に、蓋体の製作が簡単・容易で、インサートグレーチングが確実に蓋体に埋設され、雨水排水能力も優れたインサートグレーチングを埋設した側溝用蓋体となる。
【図面の簡単な説明】
【図１】図１は本発明の実施例に係るインサートグレーチングを埋設した側溝用蓋体の平面図である。
【図２】図２は図１のＡ−Ａ拡大断面図である。
【図３】図３はインサートグレーチングの平面図である。
【図４】図４はインサートグレーチングの側面図である。
【図５】図５は図３のＢ−Ｂ断面図である。
【図６】図６はインサートグレーチングの組立説明図である。
【符号の説明】
１            インサートグレーチングを埋設した側溝用蓋体
２            側溝
３            インサートグレーチング
６            グレーチング本体
７            保持枠
８            雨水流通孔
１１          突起
１２          凹孔
【図１】
0003670268.tif 000002
【図２】
0003670268.tif 000003
【図３】
0003670268.tif 000004
【図４】
0003670268.tif 000005
【図５】
0003670268.tif 000006
【図６】
0003670268.tif 000007